(57)【要約】【課題】  本発明はフイルム本体と逆止弁を一体化した逆止弁付きバンバンスティックを提供する。【解決手段】  弁なしバンバンスティック（１）において、弁なしバンバンスティック（１）に折り返し部（２）、折り返し部（３）、シール部（４）、シール部（５）、溶着シール部（６）を設け、折り返し部（２）、折り返し部（３）にシール部（４）、シール部（５）を設け、折り返し部（２）、折り返し部（３）を形成した後に溶着シール部（６）を設けた、逆止弁付きバンバンスティック。【選択図】図１
2014137138.tif 000002
【特許請求の範囲】
【請求項１】
弁なしバンバンスティック（１）において、逆止弁付きバンバンスティック（１）に折り返し部（２）、折り返し部（３）、シール部（４）、シール部（５）、溶着シール部（６）を設け、折り返し部（２）、折り返し部（３）にシール部（４）、シール部（５）を設け、折り返し部（２）、折り返し部（３）を形成し、空気注入口（９）より空気注入後、空気層（７）、空気層８に圧力がかかり空気注入口（９）が圧力により塞がり、シール部（４）、シール部（５）の形状にする事より折り返し部（２）、折り返し部（３）と共に空気注入口（９）を塞ぐ役割を果たす逆止弁付きバンバンスティック。
【発明の詳細な説明】
【技術分野】
【０００１】  本発明は、フイルム本体と逆止弁を一体化した逆止弁付きバンバンスティックに関するものである。
【背景技術】
【０００２】  従来、バンバンスティックとして空気注入口より空気を注入し使用するものは、次工程において、別に作成した逆止弁を本体のフイルムと合わせ、手加工でシール機を使用し熱シールで溶着させ、空気注入口を形成して使用していた。
本発明は、次工程の作業を省くことにより、安価で納期の短縮できる弁なしバンバンを提供できる。
【先行技術文献】
【０００３】
【特許文献１】  特開平５−３１２６０号公報
【特許文献２】  特開平９−２８５６４８号公報
【特許文献３】  特開２００１−３０９９６号公報
【特許文献４】  特開２００６−５１０５３号公報
【特許文献５】  特開２００９−２８１５６５号公報
【発明の概要】
【発明が解決しようとする課題】
【０００４】  従来のバンバンスティックは、別工程で作成した逆止弁単体とバンバンスティック本体単体を合わせて専用のシール装置で一枚一枚シールする作業を、手加工で行っていた。
次工程で作業を行っていた事により、コスト面の問題、商品の作成から納入までの納期がかかっていた。
コストの問題は、ポリエチレンフイルムで作られたバンバンスティックでは重要な問題であり次工程での作業を無くす事によりコスト面での競争力に強いバンバンスティックを提供する事が可能になった。
納期の面に関しても次工程での作業が無い分、本体を製造し即出荷出来る点から消費者に短時間で提供する事が可能になった。【０００５】  本発明は、逆止弁とバンバンスティック本体を一体化させる事により、次工程での作業を省く事が可能になり、バンバンスティック本体のみの加工で使える様になり、また、次工程の作業がなくなる事により、コストの削減と納期の大幅な短縮が可能になった逆止弁付きバンバンスティックを提供する。
【課題を解決するための手段】
【０００６】  逆止弁付きバンバンスティック（１）において、逆止弁付きバンバンスティック（１）に折り返し部（２）、折り返し部（３）、シール部（４）、シール部（５）、溶着シール部（６）を設け、折り返し部（２）、折り返し部（３）にシール部（４）、シール部（５）を設け、折り返し部（２）、折り返し部（３）を形成した後に溶着シール部（６）を設けた、逆止弁付きバンバンスティック。
【発明の効果】
【０００７】  以上説明した様に本発明によればエアーを注入した際のエアーの圧力により、空気層（７）、空気層（８）に空気圧力が加わることにより空気注入口（９）が塞がれ、エアーの漏れのない逆止弁付きバンバンスティックを提供することが可能である。
【図面の簡単な説明】
【０００８】
【図１】  本発明の表面図である。
【図２】  本発明の空気層を側面から表した説明図である。
【図３】  本発明の空気層を表面から表した説明図である。
【図４】  本発明のシール部４、シール部５の形状を表した説明図である。
【図５】  本発明のシール部４、シール部５の形状を表した説明図である。
【図６】  本発明のシール部４、シール部５の形状を表した説明図である。
【図７】  本発明のシール部４、シール部５の形状を表した説明図である。
【発明を実施するための形態】
【０００９】  以下、図面を用いて本発明の実施の形態を説明する。
弁なしバンバンスティック（１）において、図１にある逆止弁付きバンバンスティック（１）に折り返し部（２）、折り返し部（３）を設け、折り返し部（２）、折り返し部（３）にシール部（４）、シール部（５）を設け、弁なしバンバンスティック（１）に折り返部（２）、折り返し部（３）を設け後に溶着シール部（６）を設けた、逆止弁付きバンバンスティックである。
【００１０】  図１は本発明の表面図を表した表面図である。
本発明は、ポリエチレンのシートを用い逆止弁付きバンバンスティック（１）に折り返し部（２）、折り返し部（３）を設けることにより、図２にある空気層（７）、空気層（８）より圧力がかかることにより、空気注入口（９）が密着するため、空気注入口から空気が逆流するのを防ぐ役割を果たす。
【００１１】  図４、図５、図６、図７は、シール部（４）、シール部（５）を表した説明図である。
図４、図５、図６、図７は、シール部（４）、シール部（５）の形状を逆止弁付きバンバンスティック（１）の溶着シール部（６）に対し斜めに形成することにより、シール部（４）、シール部（５）、溶着シール部（６）により斜めに形成された部分、空気層（７）、空気層（８）に空気を注入した際に逆止弁付きバンバンスティック（１）に対し外側に圧力がかかり、シール部（４）、シール部（５）の境目が折れ曲がることにより空気注入口（９）、袋上部サイド（１０）も片側に折れ曲がり、空気注入口（９）が密着するため、空気注入口から空気が逆流するのを防ぐ役割を果たす。
【産業上の利用可能性】
【００１２】  従来、次工程での逆止弁の取り付け作業を行うことが主流であったが、コストの削減、短納期での納品が主流になっている。
逆止弁付きバンバンスティックは、フイルムに逆止弁効果を持たせることにより、コスト削減、短納期での対応が可能になった。
コストの問題は、ポリエチレンフイルムで作られたバンバンスティックでは重要な問題であり次工程での作業を無くす事によりコスト面での競争力に強いバンバンスティックを提供する事が可能になった。
納期の面に関しても次工程での作業が無い分、本体を製造し即出荷出来る点から消費者に短時間で提供する事が可能になった。
【符号の説明】
【００１３】    １  逆止弁付きバンバンスティック
２  折り返し部
３  折り返し部
４  シール部
５  シール部
６  溶着シール部
７  空気層
８  空気層
９  空気注入口
１０  袋上部サイド
【図１】
2014137138.tif 000003
【図２】
2014137138.tif 000004
【図３】
2014137138.tif 000005
【図４】
2014137138.tif 000006
【図５】
2014137138.tif 000007
【図６】
2014137138.tif 000008
【図７】
2014137138.tif 000009